(57)【要約】【課題】使用済みの切断部材が装置に残置されていることに起因するタイムアウトエラーや接合不良などの問題が発生することを未然に防止し得るチューブ接合装置を提供する。【解決手段】チューブ接合装置１は、溶断に使用された使用済みのウェハーＷＦ２の姿勢を保持することにより当該使用済みのウェハーＷＦ２に倒れ込み等が生じることを防止する姿勢保持部６０４を有している。【選択図】図２１
2015136576.tif 000002
【特許請求の範囲】
【請求項１】
加熱した板状の切断部材によって第１のチューブの端部と第２のチューブの端部を溶断した後、前記第１のチューブの溶断した端部と前記第２のチューブの溶断した端部を入れ替えて接合するチューブ接合装置であって、
前記第１のチューブおよび前記第２のチューブを保持する保持部を備える筐体と、
前記筐体に設けられ、複数の前記切断部材を収容可能に構成された収容部と、
前記保持部に保持された前記第１のチューブおよび前記第２のチューブを溶断する際に前記切断部材を待機させる第１の位置へ前記収容部に収容された前記切断部材を移動させ、溶断作業後に、前記筐体から前記切断部材が取り出し可能となる第２の位置へ溶断に使用された使用済みの前記切断部材を移動させる移動機構と、
前記第２の位置において、使用済みの前記切断部材の姿勢を、当該切断部材が前記第１の位置から前記第２の位置へ移動された際の姿勢に保持する姿勢保持部と、を有するチューブ接合装置。
【請求項２】
前記第１の位置へ送られた前記切断部材を前記第１のチューブおよび前記第２のチューブに対して接近離反移動させるように可動するホルダー部をさらに有しており、
前記姿勢保持部は、前記ホルダー部に少なくとも設けられており、使用済みの前記切断部材の姿勢を保持することにより前記ホルダー部の可動範囲内に使用済みの前記切断部材が位置されることを防止する、請求項１に記載のチューブ接合装置。
【請求項３】
前記ホルダー部に設けられた前記姿勢保持部との接触−非接触により、前記ホルダー部の可動状態を検出するホルダー位置検出センサをさらに有する請求項２に記載のチューブ接合装置。
【請求項４】
前記姿勢保持部は、前記第２の位置へ移動された使用済みの前記切断部材の後端部が、前記第１の位置にある前記切断部材の前端部に向い合せて配置されるように姿勢を保持する、請求項１〜３のいずれか１項に記載のチューブ接合装置。
【請求項５】
前記姿勢保持部は、前記第２の位置へ移動された使用済みの前記切断部材の外側面に当接することにより前記第１の位置の直線延長上に使用済みの前記切断部材が整列するように姿勢を保持する、請求項４に記載のチューブ接合装置。
【発明の詳細な説明】
【技術分野】
【０００１】
本発明は、チューブの接合に使用されるチューブ接合装置に関する。
【背景技術】
【０００２】
樹脂製のチューブ同士などを繋ぎ合わせる技術として、各樹脂製のチューブの端部を溶断し、溶断した端部同士を相互に押し付けて加圧接合させる接合方法が従来から知られている。このような技術は、様々な産業分野において広く用いられており、その一例として、腹膜透析方法などの医療技術への応用が試みられている。
【０００３】
腹膜透析方法は、患者の腹腔内に埋め込んだチューブ（カテーテル）を使用して所定の透析液を体内に入れた後、腹膜を介して透析液内へ移行させた水や老廃物を体外へ取り除く方法である。体内へ透析液を入れる際には、患者に埋め込まれたチューブを透析液が収容されたバックのチューブに対して液密に接合させる。また、体内から透析液を排液する際にも、患者に埋め込まれたチューブを排液用のバックのチューブに液密に接合させる。
【０００４】
上記のように接合対象となる一方のチューブは患者の腹腔内に埋め込まれているため、接合作業時に各チューブが汚染されることのないように作業には細心の注意を払わなければならない。このような点を鑑みて、例えば特許文献１に記載されているように、２本の樹脂製のチューブを溶断して無菌状態で自動的に接合を行うことを可能にするチューブ接合装置が開発されている。この装置では、２本のチューブの溶断した端部を入れ替えて接合するため、接合の際に菌汚染の心配が無く、チューブおよびバッグ内の透析液等の無菌性を保持することができる。また、この装置においては、２本のチューブの各端部の溶断は、加熱した板状の金属製ウェハーを用いて行われている。ウェハーは、接合装置に装着されたカセットから一枚ずつ順次に所定位置に送り込まれ、溶断に使用された後は装置から取り除くことが可能な排出位置へ送り出される。
【先行技術文献】
【特許文献】
【０００５】
【特許文献１】特許２７１００３８号公報
【発明の概要】
【発明が解決しようとする課題】
【０００６】
上述した接合装置を使用する場合、接合作業を終える度に装置からウェハーを取り除く作業が行われる。使用済みのウェハーが取り忘れなどによって装置から取り除かれずに連続して接合作業が実施されてしまうと、装置に残置されたウェハーが当該装置の各部、例えばウェハーによる切断作業を行う際にウェハーを保持した状態で昇降動作を行うホルダーなどと干渉してタイムアウトエラーや接合不良といった問題が生じ得るためである。ウェハーと装置各部の干渉は、板状のウェハーが排出位置まで送り出された後に当該ウェハーの姿勢が保持されず、ウェハーが倒れ込み、ホルダーなどの可動範囲内にウェハーが配置されてしまうことが主な原因であると考えられる。
【０００７】
本発明は、使用済みの切断部材が装置に残置されていることに起因するタイムアウトエラーや接合不良などの問題が発生することを未然に防止し得るチューブ接合装置を提供することを目的とする。
【課題を解決するための手段】
【０００８】
本発明のチューブ接合装置は、加熱した板状の切断部材によって第１のチューブの端部と第２のチューブの端部を溶断した後、前記第１のチューブの溶断した端部と前記第２のチューブの溶断した端部を入れ替えて接合するチューブ接合装置であって、前記第１のチューブおよび前記第２のチューブを保持する保持部を備える筐体と、前記筐体に設けられ、複数の前記切断部材を収容可能に構成された収容部と、前記保持部に保持された前記第１のチューブおよび前記第２のチューブを溶断する際に前記切断部材を待機させる第１の位置へ前記収容部に収容された前記切断部材を移動させ、溶断作業後に、前記筐体から前記切断部材が取り出し可能となる第２の位置へ溶断に使用された使用済みの前記切断部材を移動させる移動機構と、前記第２の位置において、使用済みの前記切断部材の姿勢を、当該切断部材が前記第１の位置から前記第２の位置へ移動された際の姿勢に保持する姿勢保持部とを有している。
【発明の効果】
【０００９】
本発明に係るチューブ接合装置によれば、溶断に使用された使用済みの切断部材が、当該装置から切断部材が取り出し可能となる第２の位置にあるときには、第２の位置へ移動された際の姿勢が姿勢保持部によりそのまま保持されるため、使用済みの切断部材が第２の位置において倒れ込む等して不用意な姿勢をとることがない。このため、使用済みの切断部材が第２の位置に残置された状態で溶断作業が進行する場合においても、溶断作業時に可動する装置各部と使用済みの切断部材の干渉が防止される。その結果、第２の位置に使用済みの切断部材が残置されていることに起因するタイムアウトエラーや接合不良などの問題が発生することを未然に防止することが可能になる。
【００１０】
また、各チューブに対して切断部材を接近離反移動させるホルダー部に姿勢保持部が設けられており、使用済みの切断部材の姿勢を保持することによってホルダー部の可動範囲内に使用済みの切断部材が位置されることを防止するように構成されている場合、溶断作業時に可動するホルダー部と使用済みの切断部材の干渉が生じることを好適に防止することが可能になる。
【００１１】
また、ホルダー部に設けられた姿勢保持部との接触−非接触によりホルダー部の可動状態を検出するホルダー位置検出センサをさらに有するように構成されている場合、姿勢保持部がホルダー部の可動状態を検出するための検出端として共用化されるため、検出端をホルダー部に備えさせることによる装置構成の煩雑化を防止しつつ、ホルダー部の可動状態を好適に検出することが可能になる。
【００１２】
また、姿勢保持部により、第２の位置へ移動された使用済みの切断部材の後端部が第１の位置にある切断部材の前端部に向い合せて配置されるように姿勢が保持される場合、第２の位置への使用済みの切断部材の移動を、使用済みの切断部材の後端部に未使用の切断部材の前端部を突き当てた状態で当該未使用の切断部材を押し出すことで行うことが可能になるため、第２の位置への使用済みの切断部材の移動を円滑かつ容易に行うことが可能になる。
【００１３】
また、姿勢保持部が、第２の位置へ移動された使用済みの切断部材の外側面に当接することにより第１の位置の直線延長上に使用済みの切断部材を整列するように姿勢を保持する場合、使用済みの切断部材の後端部と未使用の切断部材の前端部との位置合わせをより確実に行うことが可能になるため、第２の位置への使用済みの切断部材の移動をより一層円滑に行うことが可能になる。
【図面の簡単な説明】
【００１４】
【図１】本発明の実施形態に係るチューブ接合装置を示す斜視図である。
【図２】図１に示すチューブ接合装置をＪ１方向から見た側面図である。
【図３】図１に示すチューブ接合装置をＪ２方向から見た側面図である。
【図４】図１に示すチューブ接合装置の底面図である。
【図５】図５（Ａ）は、図１に示す筐体の正面部側に設けられている操作パネル部の構成例を示す図、図５（Ｂ）は、図１に示す筐体の上面部に設けられている表示部の構成例を示す図である。
【図６】図１に示すクランプ蓋部を筐体からＲＴ方向に開いた状態を示す斜視図である。
【図７】図６に示す矢印ＳＳ方向から見たクランプ蓋部の内部構造例と、筐体側クランプ部の内部構造例を示す斜視図である。
【図８】クランプ蓋部の内部構造例と、筐体側クランプ部の内部構造例を示す別の角度から見た斜視図である。
【図９】図７に示すクランプ蓋部の内部構造と筐体側クランプ部の内部構造を拡大して示す図である。
【図１０】チューブ接合装置の筐体内に配置されている構成要素の概略の配置例を示す斜視図である。
【図１１】チューブ接合装置の制御系統の電気ブロックを示す図である。
【図１２】図１２（Ａ）〜（Ｃ）は、筐体のウェハーカセット挿入部と、ウェハーカセット取り出しボタンの付近と、ウェハーカセットを示す斜視図である。
【図１３】図１３（Ａ）は、ウェハーカセットの底面部を示す斜視図、図１３（Ｂ）は、ウェハーカセットの上面部を示す斜視図である。
【図１４】ファンと、筐体側クランプ部に配置された各チューブとウェハーとの位置関係の例を示す側面図である。
【図１５】実施形態に係るチューブ接合装置により接合されるチューブを模式的に示す図である。
【図１６】図１６（Ａ）〜（Ｃ）は、チューブ接合装置が備える筐体側クランプ部にチューブをセットする様子を模式的に示す図である。
【図１７】図１７（Ａ）、（Ｂ）は、チューブ接合装置が備える筐体側クランプ部にチューブをセットする様子を模式的に示す図である。
【図１８】図１８（Ａ）〜（Ｄ）は、チューブ接合装置による溶断−接合作業の各工程を模式的に示す図である。
【図１９】図１９（Ａ）は、接合後の各チューブを拡大して示す図、図１９（Ｂ）は、接合後の各チューブの配設状態を模式的に示す図である。
【図２０】切断部材を移動させる移動機構およびウェハーカセット収納ユニットを示す平面図である。
【図２１】図２１（Ａ）は、ホルダー部を左側面から見た外観斜視図、図２１（Ｂ）は、ホルダー部を右側面から見た外観斜視図である。
【図２２】図２２（Ａ）は、ホルダー部が可動する前の様子を模式的に示す側面図、図２２（Ｂ）は、ホルダー部が可動して未使用の切断部材を溶断ポジションへ移動させた際の様子を模式的に示す側面図である。
【図２３】図２３（Ａ）は、ホルダー部が可動して使用済みの切断部材を溶断ポジションから待機ポジションへ移動させた際の様子を模式的に示す側面図、図２３（Ｂ）は、未使用の切断部材をホルダー部へ移動させて使用済みの切断部材を排出ポジションへ移動させた際の様子を模式的に示す側面図である。
【図２４】図２４（Ａ）は、排出ポジションに使用済みの切断部材が残置された状態で、ホルダー部が可動して未使用の切断部材を溶断ポジションへ移動させた際の様子を模式的に示す側面図、図２４（Ｂ）は、排出ポジションに使用済みのホルダーが残置された状態で、ホルダー部が可動して使用済みの切断部材を溶断ポジションから待機ポジションへ移動させた際の様子を模式的に示す側面図である。
【図２５】図２５（Ａ）は、対比例に係るチューブ接合装置を使用した際に切断部材と下降動作中のホルダー部とが干渉する様子を示す斜視図、図２５（Ｂ）は、切断部材と下降動作中のホルダー部とが干渉する様子を模式的に示す側面図である。
【図２６】図２６（Ａ）は、変形例に係るチューブ接合装置の要部を拡大して示す斜視図、図２６（Ｂ）は、変形例に係るチューブ接合装置の排出ポジション周辺を拡大して示す斜視図である。
【発明を実施するための形態】
【００１５】
以下、図面を参照して、本発明の実施の形態を説明する。なお、図面の寸法比率は、説明の都合上誇張されており、実際の比率とは異なる場合がある。
【００１６】
図１は、本実施形態に係るチューブ接合装置を示す概観斜視図である。図２は、図１に示す矢印Ｊ１方向から見たチューブ接合装置の側面図である。図３は、図１に示す矢印Ｊ２方向から見たチューブ接合装置の側面図である。図４は、チューブ接合装置を底面部側から見た斜視図である。
【００１７】
チューブ接合装置１は、複数のチューブＴ１、Ｔ２（以下、第１のチューブＴ１および第２のチューブＴ２とする）のそれぞれの端部を溶断し、溶断した各端部同士を無菌状態で加圧して接合するものである。本実施形態においては、腹膜透析液バッグの透析液チューブ（第１のチューブＴ１に相当する）と、腹膜透析をする際に使用される患者の腹膜カテーテル側のチューブ（第２のチューブＴ２に相当する）の接合に使用される医療装置に適用した例を通じてチューブ接合装置を説明する。
【００１８】
図１８、図１９に示すように、チューブ接合装置１は、加熱したウェハーＷＦ（板状の切断部材に相当する）によって第１のチューブＴ１の端部と第２のチューブＴ２の端部を溶断した後、第１のチューブＴ１の溶断した端部と第２のチューブＴ２の溶断した端部を入れ替えて接合するように構成されている。
【００１９】
チューブ接合装置１の各構成について説明する。
【００２０】
チューブ接合装置１の好ましい使用環境は、例えば、環境温度１０〜４０℃，相対湿度３０〜８５％である。ただし、各チューブＴ１、Ｔ２の端部を加圧溶着することが可能であれば、使用環境については特に制限はない。
【００２１】
図１、図２、図３に示すように、チューブ接合装置１は、例えば、筐体２と、当該装置１に各チューブＴ１、Ｔ２をセットする際にそのセットの補助に使用されるチューブセット補助具４を有するように構成することができる。
【００２２】
筐体２は、例えば、１３５ｍｍ（幅）×９９ｍｍ（高さ）×２６８ｍｍ（奥行）の大きさで、重さが２．４ｋｇ程度で構成される。
【００２３】
筐体２は、上筐体部分２Ｗと、上側筐体部分２Ｗと組み合わせられる下筐体部分２Ｖと、上側筐体部分２Ｗの上部側に設けられた開閉可能なクランプ蓋部３を有している。クランプ蓋部３を含む筐体２とチューブセット補助具４は、例えば、硬質のプラスチックにより作られるが、材質等について制限は特にない。
【００２４】
筐体２は、後述するように、チューブ接合装置１の各構成要素を収容する。クランプ蓋部３は、この筐体２の上部に配置されている。
【００２５】
チューブセット補助具４は、筐体２に対して着脱可能に取り付けられている。筐体２とクランプ蓋部３は、例えば、明度の比較的高い明るい色、具体的には、クリーム色あるいは白色で構成することが可能である。また、使用者（実際にチューブ接合装置を使用する者や患者等）が、筐体２、クランプ蓋部３、チューブセット補助部４のそれぞれを、視覚的に明確に区別できるようにするために、チューブセット補助具４は、例えば、オレンジ色で構成することが可能である。ただし、上記各部の色は、特に限定されず、任意に選択することができる。
【００２６】
筐体２は、図１〜図４に示すように、底面部２Ａと、正面部２Ｂと、右側面部２Ｃと、左側面部２Ｄと、背面部２Ｅと、上面部２Ｆを有するケースによって構成されている。このケースは、図示するように、面取りがされたほぼ直方体形状の形状を有している。
【００２７】
図４に示すように、底面部２Ａの四隅には、それぞれ設置用部材２Ｇが取り付けられている。これらの設置用部材２Ｇは、例えば円形状のプラスチック製あるいはゴム製の滑り止め部材で構成することができる。重量が比較的大きなチューブ接合装置１は、これらの設置用部材２Ｇが用いられることにより机面のような設置面に対して滑らないように置かれる。これにより、２本のチューブＴ１、Ｔ２を接合する作業時などにチューブ接合装置１に位置ずれが生じることを防止でき、接合作業を安定した状態で実施することが可能になる。
【００２８】
底面部２Ａには、例えば、バッテリ交換用の蓋部材２Ｈを設けることができる。この蓋部材２Ｈは、例えば、ねじ２Ｉのような固定部材により着脱可能に取り付けることができる。ねじ２Ｉを外して、蓋部材２Ｈを取り外せば、図４中において破線で示されるバッテリＢＡを交換することが可能となる。蓋部材２Ｈは、例えば、正面部２Ｂよりも背面部２Ｅ寄り側に配置することができる。また、蓋部材２Ｈは、ファンＦＮの排気用開口部６から離れた位置に配置している。
【００２９】
図４に示すように、底面部２Ａには、音声用開口部５と排気用開口部６が形成されている。音声用開口部５と排気用開口部６は、例えば、バッテリ交換用の蓋部材２Ｈと正面部２Ｂとの間に形成される。
【００３０】
音声用開口部５は、複数の細長い貫通穴５Ａにより構成されており、排気用開口部６は、複数の細長い貫通穴６Ａにより構成されている。
【００３１】
底面部２Ａの内側には、破線で示すようにスピーカＳＰと排気装置としてのファンＦＮが配置されている。このファンＦＮは、接合動作を終えた後にウェハーＷＦを冷却する冷却用ファンとしての機能も有する。
【００３２】
音声用開口部５は、スピーカＳＰが発生する音声ガイダンスや警告音等を、筐体２の外部に出力するために設けられている。これにより、使用者はスピーカＳＰが発生する音声ガイダンスや警告音等を明瞭に聞くことができる。
【００３３】
排気用開口部６は、冷却用のファンＦＮが作動することで筐体２の内部で発生する熱や内部を通るガスを筐体２の外部に強制的に排出するために設けられている。これにより、筐体２内の熱や内部を通るガスを側面部２Ｃ、２Ｄではなく、底面部２Ａ側から筐体２の外部に排出することができる。
【００３４】
図４に示すように、筐体１の底面部２Ａには、その他にも、複数本のリブ２ＪがＹ方向に平行に形成されている。これらのリブ２Ｊは、チューブセット補助具４を筐体２に対して着脱自在に取り付ける際の、ガイド部分としての機能を有している。チューブセット補助具４の詳細については後述する。
【００３５】
次に、図５を参照して、操作パネル部７と表示部８について説明する。
【００３６】
図５（Ａ）は、図１に示す筐体２の正面部２Ｂ側に設けられている操作パネル部７の例を示している。図５（Ｂ）は、図１に示す筐体２の上面部２Ｆに設けられている表示部８の例を示している。
【００３７】
図５（Ａ）に示す操作パネル部７は、［電源］スイッチボタン７Ｂと、［電源］ランプ７Ｃと、［充電中］ランプ７Ｄと、［接合］ボタン７Ｅと、［接合］ランプ７Ｆと、［ウェハー取り出し］ランプ７Ｇを有している。
【００３８】
［電源］ランプ７Ｃと［充電中］ランプ７Ｄと［接合］ランプ７Ｆと［ウェハー取り出し］ランプ７Ｇは、操作パネル部７における各種の状態を表す表示用のランプである。各ランプは、例えば、緑色のＬＥＤ（発光ダイオード）ランプで構成することができる。
【００３９】
［電源］スイッチボタン７Ｂは、チューブ接合装置１に電源を入れるために押されるボタンである。［電源］ランプ７Ｃは、［電源］スイッチボタン７Ｂを押すことにより点灯する。
【００４０】
［接合］ボタン７Ｅは、使用者が２本のチューブＴ１、Ｔ２のそれぞれの端部を溶断して、そして各チューブＴ１、Ｔ２の端部を入れ替えて加圧接合する溶断−接合作業を開始する際に押すボタンである。［接合］ランプ７Ｆは、［接合］ボタン７Ｅを押すと点灯する。また、［接合］ランプ７Ｆは、チューブ接合装置１の故障時に、故障状態にあることを使用者に警告するために点滅するように構成することもできる。
【００４１】
［充電中］ランプ７Ｄは、図４に示すバッテリＢＡに対して商用交流電源側からの充電が行われている場合に点灯する。
【００４２】
［ウェハー取り出し］ランプ７Ｇは、２本のチューブＴ１、Ｔ２の接合が終了して、後述するように、使用者が使用済みのウェハーＷＦを筐体２内から取り出して排出することができるような状態になると点灯または点滅する。
【００４３】
図５（Ｂ）に示す表示部８は、［カバー閉じる］ランプ８Ｂと、［ウェハーカセット交換］ランプ８Ｃと、［ウェハー不良］ランプ８Ｄと、［要充電］ランプ８Ｅと、［室温不適］ランプ８Ｆと、［装置故障］ランプ８Ｇを有している。
【００４４】
［装置故障］ランプ８Ｇは、チューブ接合装置１が故障したことを知らせる警告ランプである。［装置故障］ランプ８Ｇは、例えば、赤色のＬＥＤランプにより構成することができる。その他のランプは、警報表示ランプとして構成されており、例えば、黄色のＬＥＤランプにより構成することができる。
【００４５】
図１と図２を再度参照して、筐体２の側面部２Ｃには、ウェハーカセット挿入部２０と、ウェハーカセット取り出しボタン２１が設けられている。
【００４６】
ウェハーカセット挿入部２０は、図１に示すウェハーカセットＷＣを着脱可能に挿入するための長方形状の開口部により構成されている。ウェハーカセットＷＣがウェハーカセット挿入部２０を通じて筐体２内に挿入された状態で、使用者が指でウェハーカセット取り出しボタン２１を押し込むことで、ウェハーカセットＷＣはウェハーカセット挿入部２０を通じて筐体２の外部に取り出すことができる。なお、ウェハーカセットＷＣについては後述するが、このウェハーカセットＷＣは各チューブＴ１、Ｔ２の溶断に使用される複数個のウェハーＷＦが収容された容器によって構成されている。
【００４７】
図３に示すように、筐体２の左側面部２Ｄには、音量調整ボリューム２２と、音声メッセージ切替えスイッチ２３が設けられている。
【００４８】
使用者が音量調整ボリューム２２をスライドすることで音声メッセージの音量の大小を好みに応じて調整できる。また、使用者が音声メッセージ切替えスイッチ２３を例えば「無」の状態から「有」の状態にスライドすることで、所定の音声メッセージを図４に示すスピーカＳＰから出力することができる。使用者が音声メッセージ切替えスイッチ２３を例えば「無」の状態にすれば、スピーカＳＰから、例えば、所定のブザー音を出力させることができる。
【００４９】
次に、接合対象となる各チューブＴ１、Ｔ２を説明する。
【００５０】
図１５には、チューブ接合装置１により接合される２本のチューブＴ１、Ｔ２が例示されている。各チューブＴ１、Ｔ２としては、例えば、塩化ビニル製のチューブを選択することが可能である。ただし、各チューブＴ１、Ｔ２の材質は、溶断および加圧により相互に接合可能なものであればよく、その限りにおいて限定されない。例えば、各チューブＴ１、Ｔ２の材質がそれぞれ異なるものであってもよい。
【００５１】
図１５に示す例では、第１のチューブＴ１は、その先端部にコネクターＣＴを有している。第１のチューブＴ１は、透析液バッグＢＬの透析液チューブＴＢＬに対して分岐管９を介して接続されている。さらに第１のチューブＴ１は、排液用バッグＨＬの排液チューブＴＨＬに対して分岐管９を介して接続されている。
【００５２】
チューブＴ２は、例えば、延長チューブ１０と保護チューブ１１を有するように構成することができる。延長チューブ１０は、連結管１２、シリコーンチューブ１３、カテーテルジョイント１４を介して、腹膜カテーテル１５に接続されている。腹膜カテーテル１５は、患者Ｍの腹腔内に挿入されている。
【００５３】
図１５に示すように、チューブ接合装置１は、第１のチューブＴ１の斜線で示す接合部分Ｃ１とチューブＴ２の斜線で示す接合部分Ｃ２を積み重ねた状態で、チューブＴ１の接合部分Ｃ１とチューブＴ２の接合部分Ｃ２を、後述するように加熱したウェハーＷＦを用いて溶断する（図１８（Ａ）を参照。）そして、溶断した後、チューブＴ１の溶断した端部と、チューブＴ２の溶断した端部とを入れ替えて加圧して接合する（図１８（Ｃ）、（Ｄ）を参照）。
【００５４】
次に、筐体２に設置されたクランプ蓋部３について説明する。
【００５５】
クランプ蓋部３は、溶断作業を実施する際に、後述する筐体側クランプ部５０との間で２本のチューブＴ１、Ｔ２を挟み込んで固定保持する機能を備えている。図１に示すように、このクランプ蓋部３は、例えば、操作パネル部７と表示部８との間に配置することができる。
【００５６】
図６は、図１に示す矢印ＲＴ方向にクランプ蓋部３を開いた状態における筐体１を示す斜視図である。図７は、図６に示す矢印ＳＳ方向から見た筐体１の内部およびクランプ蓋部３の内部を示す斜視図である。
【００５７】
クランプ蓋部３は、図１と図２に示すように、クランプ板３０と、クランプ操作部３１と、被覆カバー３２を有している。
【００５８】
クランプ操作部３１は使用者が手指でクランプ蓋部３を開閉する際に使用される。クランプ操作部３１と、クランプ板３０および被覆カバー３２を、それぞれ目視で容易に区別できるようにするために、例えば、クランプ操作部３１は緑色に着色することができ、クランプ板３０と被覆カバー３２は、例えば、クリーム色あるいは白色に着色することができる。
【００５９】
図１に示すように、クランプ板３０の表面には、２本のチューブＴ１、Ｔ２の挿入状態を模式的に記した確認シール３０Ｓを貼り付けることができる。チューブ接合装置１を使用する際に、使用者が確認シール３０Ｓを目視することにより、２本のチューブＴ１、Ｔ２がクランプ蓋部３と筐体側クランプ部５０の間に正しく挟み込まれているか否かを簡易的に確認することが可能になる。
【００６０】
図１と図６に示すように、クランプ蓋部３のクランプ板３０は、中心軸ＣＬを中心として図１に示す閉じた状態から図６に示す９０度を超える角度まで開くことができるように筐体２に対して取り付けられている。
【００６１】
クランプ蓋部３の被覆カバー３２は、筐体２に対して中心軸ＣＬ１を中心にして回転できるように取り付けられている。この被覆カバー３２に設けられた突起３２Ｔは、クランプ板３０に設けられたガイド溝３０Ｒにはめ込まれている。突起３２Ｔとガイド溝３０Ｒとが設けられることにより、クランプ板３０が筐体２に対して中心軸ＣＬを中心として図６に示す９０度を超える角度まで開く際に、被覆カバー３２がクランプ板３０の動きに追従して持ち上げられるように構成される。
【００６２】
図１と図６に示すように、クランプ操作部３１は、クランプ板３０の先端部３０Ｄに所定のピン（図示省略）を介して取り付けられている。クランプ操作部３１は、このピンにより、中心軸ＣＬ２を中心として回転できるように軸支されている。
【００６３】
図６に示すように、クランプ操作部３１は、幅方向にそれぞれ所定の間隔を空けて配置された一対の係合爪３１Ｍを有している。筐体２には、幅方向にそれぞれ所定の間隔を空けて配置された一対の突起部３３が突出して設けられている。クランプ操作部３１の各突起部３３は、筐体２の各係合爪３１Ｍにそれぞれ引っ掛けて固定することが可能に構成されている。
【００６４】
図６に示すように、クランプ蓋部３が開いた状態で、使用者がクランプ操作部３１を指で持って、中心軸ＣＬを中心にして矢印ＲＳ方向に回転させると、図１に示すように、クランプ板３０により筐体側クランプ部５０が上側から覆われる。そして、使用者がクランプ操作部３１を指で持って、中心軸ＣＬ２を中心に矢印ＲＧ方向に回転させると、図６に示す一対の係合爪３１Ｍは、それぞれ筐体２の対応する位置に形成された突起部３３に対して噛み合わされる。これにより、クランプ蓋部３は、筐体２に設けられた筐体側クランプ部５０を上から閉じる。その結果、各チューブＴ１、Ｔ２の接合中にクランプ蓋部３が誤って開かないように機械的に固定される。
【００６５】
次に、図６と図７を参照して、クランプ板３０の内側に配置された各構成要素と、筐体側クランプ部５０の内側に配置された各構成要素を説明する。
【００６６】
クランプ板３０の内側には、接合する際に第１のチューブＴ１を押えるために用いられる第１のチューブ押さえ部材３５と、第１収容部材３６と、第２収容部材３７が配置されている。
【００６７】
第１のチューブ押さえ部材３５、第１収容部材３６、第２収容部材３７は、例えば、硬質のプラスチックで形成することが可能であるが、材質等は特に制限されない。第１のチューブ押さえ部材３５は、第１収容部材３６との間に所定の隙間３８を形成するように第１収容部材３６から離隔した位置に設けられている。
【００６８】
第１収容部材３６は、凹部３６Ａと凹部３６Ｂの二つの凹部を有している。同様に、第２収容部材３７は、凹部３７Ａと凹部３７Ｂの二つの凹部を有している。
【００６９】
筐体側クランプ部５０の内側には、接合する際に第１のチューブＴ１を挟み込むために用いられる第１のチューブ挟み込み部５１と、接合する際に第２のチューブＴ２を挟み込むために用いられる第２のチューブ挟み込み部５２が配置されている。
【００７０】
第１のチューブ挟み込み部５１は、第１突起５１Ａと第２突起５１Ｂを有している。図７に示すように、第１突起５１Ａと第２突起５１Ｂは、両突起５１Ａ、５１Ｂの間に第１のチューブＴ１と第２のチューブＴ２を潰さないようにして挟み込むための挟み込み間隔ＳＤが形成されるように対面して配置されている。
【００７１】
第２のチューブ挟み込み部５２は、第１突起５２Ａと第２突起５２Ｂを有している。図７に示すように、第１突起５２Ａと第２突起５２Ｂは、両突起５２Ａ、５２Ｂの間に第１のチューブＴ１と第２のチューブＴ２を潰さないようにして挟み込むための挟み込み間隔ＳＤが形成されるように対面して配置されている。
【００７２】
クランプ蓋部３を閉じた状態では、筐体側クランプ部５０に設けられた第１のチューブ挟み込み部５１の第１突起５１Ａと第２突起５１Ｂのそれぞれは、クランプ板３０側に設けられた凹部３７Ａ、３７Ｂにそれぞれ収納される。同様にして、筐体側クランプ部５０に設けられた第２のチューブ挟み込み部５２の第１突起５２Ａと第２突起５２Ｂのそれぞれは、クランプ板３０側に設けられた凹部３６Ａ、３６Ｂにそれぞれ収納される。
【００７３】
第１のチューブ挟み込み部５１と第２のチューブ挟み込み部５２の間には、接合する際に第２のチューブＴ２を押えるために用いられる第２のチューブ押さえ部材５３が配置されている。
【００７４】
第２のチューブ押さえ部材５３は、クランプ板３０側の第１のチューブ押さえ部材３５に対応させて筐体側クランプ部５０に設けられている。第１のチューブ押さえ部材３５と第２のチューブ押さえ部材５３は、それぞれ半円筒形状の空間部を有している。図１に示すようにクランプ蓋部３を閉じた状態では、筐体側クランプ部５０に設けられた第２のチューブ押さえ部材５３とクランプ板３０側に設けられた第１のチューブ押さえ部材３５が重なる。重なった際に第１のチューブ押さえ部材３５と第２のチューブ押さえ部材５３は、第１のチューブＴ１と第２のチューブＴ２を収容可能な円筒状の空間を両部材の間に形成する。
【００７５】
第１のチューブ押さえ部材３５と第２収容部材３７は一体化した部材で構成することができる。同様にして、第２のチューブ押さえ部材５３と第１のチューブ挟み込み部５１は一体化した部材で構成することができる。
【００７６】
ここで、図７に示すように、例えば、第１のチューブ押さえ部材３５と第２のチューブ押さえ部材５３の周囲にはギア５５を形成することができる。このギア５５は、各チューブＴ１、Ｔ２を溶断した後、各チューブＴ１、Ｔ２の端部の位置を入れ替える動作を駆動するクランプモータ５６のギア５６Ｇと噛み合うように構成されている。
【００７７】
クランプモータ５６が制御部１００（図１１を参照）の指令により作動してギア５６Ｇを回転させると、第１のチューブ押さえ部材３５と第２のチューブ押さえ部材５３は、第２の収容部材３７と第１のチューブ挟み込み部５１が一体になった状態で１８０度正回転し、または１８０度逆回転する。この回転が行われている間は、溶断された第１のチューブＴ１と第２のチューブＴ２が第１のチューブ押さえ部材３５と第２のチューブ押さえ部材５３により保持される。そして、溶断した後の第１のチューブＴ１の端部の位置と第２のチューブＴ２の端部の位置は、１８０度上下逆転する（図１８（Ｃ）を参照）。これにより、溶断する前は、第２のチューブＴ２が上側に、第１のチューブＴ１が下側に位置し、溶断した後は、第１のチューブＴ１の溶断した端部が上側に位置し、第２のチューブＴ２の溶断した端部が下側に位置する。
【００７８】
図７に示すように、第２のチューブ押さえ部材５３と第２のチューブ挟み込み部５２との間には、ウェハーＷが移動可能に挿入されるウェハー挿入用の隙間５７が形成されている。
【００７９】
図８は、クランプ蓋部３の内部構造と、筐体側クランプ部５０の内部構造を示す別の角度から見た斜視図である。
【００８０】
クランプ蓋部３の第１収容部材３６と筐体側クランプ部５０の第２のチューブ挟み込み部５２は、２本のチューブＴ１、Ｔ２を挟み込んで固定するための固定クランプユニット７１を構成している。この固定クランプユニット７１に対して、クランプ蓋部３の第１のチューブ押さえ部材３５および第２収容部材３７と、筐体側クランプ部５０の第２のチューブ押さえ部材５３および第１のチューブ挟み込み部５１とにより、可動クランプユニット７２が構成されている。
【００８１】
可動クランプユニット７２と固定クランプユニット７１は、２本のチューブＴ１、Ｔ２を挟み込んで固定する。そして、溶断した後に、可動クランプユニット７２は、固定部分である固定クランプユニット７１に対して２本のチューブＴ１、Ｔ２を１８０度回転させる。この回転動作は、前述したようにクランプモータ５６により駆動される。
【００８２】
図８に示すように、筐体２の上面部２Ｆには、その左右の位置に斜面部分２Ｐ、２Ｒが形成されている。斜面部分２Ｐには、例えば、透析液バッグ側の第１のチューブＴ１が入れ込まれる側であることを示す表示ラベル２Ｘが取り付けられる。一方、斜面部分２Ｒには、患者のお腹側の第２のチューブＴ２が入れ込まれる側であることを示す表示ラベル２Ｙが取り付けられる。
【００８３】
図６と図８に示すように、筐体２の操作パネル部７の付近には、当該筐体２の内外に連通し溶断に使用されたウェハーＷＦが送り込まれる取出し口５８が設けられている。この取出し口５８は、第２のチューブ押さえ部材５３と第２のチューブ挟み込み部５２との間に形成された隙間５７（図７を参照）の延長上に配置されている。このように取出し口５８がウェハーＷＦが通る隙間５７の延長線上に設けられているため、使用者は取出し口５８に案内されたウェハーＷＦを、指で摘んで容易に取り出すことができる。
【００８４】
図８に示すように、取出し口５８の付近には、円形の穴５９が形成されている。また、この円形の穴５９には、棒状のインターロック６０が配置されている。
【００８５】
インターロック６０は、例えば、電磁駆動式のソレノイド６１のロッドにより構成される。ソレノイド６１は、制御部１００から送信される指令により、図８中の破線で示す状態から実線で示すＺ１方向へ上昇する。上昇したインターロック６０によりクランプ操作部３１の前端部が押さえられる。その結果、例えば２本のチューブＴ１、Ｔ２を溶断して接合している最中に、クランプ蓋部３が開かないようにして閉じた状態をより確実に維持することが可能になる。
【００８６】
図８に示すソレノイド検出センサ８９は、例えば、光８９Ｌを出射する発光部８９Ａと、光８９Ｌを受光可能な受光部８９Ｂとを有するフォトカプラにより構成することができる。ソレノイド検出センサ８９によりクランプ蓋部３の開閉状態が検出される。検出結果は制御部１００へ送信される（図１１を参照）。
【００８７】
図９は、図７に示すクランプ蓋部３の内部構造と筐体側クランプ部５０の内部構造を拡大して示す斜視図である。
【００８８】
図９に示すように、第２のチューブ挟み込み部５２の第１突起５２Ａと第２突起５２Ｂの間には、各突起５２Ａ、５２Ｂよりも低い位置に形成された底部が設けられる。この底部には、円形の穴部７４が形成されている。そして、円形の穴部７４には、各チューブＴ１、Ｔ２のセット状態を検出するためのチューブ検出ピン７５が配置されている。
【００８９】
各チューブＴ１、Ｔ２が、第１突起５１Ａと第２突起５１Ｂの間に形成されたはめ込み溝５１Ｃと、第１突起５２Ａと第２突起５２Ｂの間に形成されたはめ込み溝５２Ｃにはめ込まれると、チューブ検出ピン７５は、図９の紙面と直交する方向に押される。チューブ検出ピン７５は、押される際に受ける力に基づいて、各チューブＴ１、Ｔ２が正確にはめ込まれたことを検出する。図１４に示すように、チューブ検出ピン７５の先端部７５Ａは、２本のチューブＴ１、Ｔ２を受ける部分として構成されている。チューブ検出ピン７５の後端部７５Ｂにはマグネット９１が取り付けられている。チューブ検出ピン７５の後端部７５Ｂと筐体２の間には、チューブ検出ピン７５をＺ１方向に押し上げるためのスプリング９２が配置されている。
【００９０】
図１０は、チューブ接合装置１の筐体２内に配置されている構成要素の概略の配置例を示す斜視図である。
【００９１】
図１０に示すように、筐体２内には、メイン基板８０と、ＤＣ入力基板８１と、ウェハーカセット収納ユニット８２と、ウェハー送りユニット８３と、固定クランプユニット７１と、可動クランプユニット７２と、ソレノイド６１と、スピーカＳＰと、ファンＦＮと、そしてバッテリＢＡが収容されている。
【００９２】
ＤＣ入力基板８１は、例えば、メイン基板８０から可能な限り離れた位置に配置されていることが好ましい。ＤＣ入力基板８１からのノイズがメイン基板８０に搭載されている回路要素に対して影響を与えないようにするためである。
【００９３】
次に、図１１を参照して、チューブ接合装置１の制御部１００の機能を説明する。図１１は、チューブ接合装置１の電気ブロックを示している。
【００９４】
図１１に示すように、チューブ接合装置１は、当該装置の各部の動作を統轄的に制御する制御部１００を有している。制御部１００は、マイクロコンピュータなどのＣＰＵと、ＣＰＵにより実行される装置全体の制御プログラムや各種データを記憶するＲＯＭと、ワークエリアとして測定データや各種データを一時的に記憶するＲＡＭを備えている。
【００９５】
制御部１００は、ＤＣ入力基板８１側のバッテリＢＡから電源供給を受ける。このＤＣ入力基板８１は、ジャック８４と、切り替えスイッチ８５を有している。ジャック８４は、充電器８６の接続ピン８６Ｐに接続されることで、商用交流電源から交流／直流変換した所定のＤＣ電源を受ける。なお、充電器８６とジャック８４は、図１にも示している。
【００９６】
図１１に示す切り替えスイッチ８５は、ジャック８４とバッテリＢＡを接続する。充電器８６からのＤＣ電源は、バッテリＢＡの充電に用いられる。そして、バッテリＢＡに充電されたＤＣ電源は、制御部１００へ供給される。
【００９７】
図１１に示すように、制御部１００には、サーミスタ等の温度センサ８７が電気的に接続されている。この温度センサ８７は、筐体２の周囲の環境温度（外気温度）を検出して制御部１００へ外気温度情報ＴＦを供給する。制御部１００は、各チューブＴ１、Ｔ２を加熱する際に外気温度情報ＴＦを参照して、例えば、各外気温度が予め定めた温度よりも低い場合には、２本のチューブＴ１、Ｔ２の加熱時間を長くするといった処理を実行する。また、制御部１００は、例えば、環境温度をスピーカＳＰで患者に報知するように動作制御を行う。
【００９８】
図１１に示すように、図５（Ａ）にそれぞれ示された操作パネル部７の［電源スイッチ］ボタン７Ｂと、［接合］ボタン７Ｅと、各ランプ７Ｃ、７Ｄ、７Ｆ、７Ｇが制御部１００に電気的に接続されている。
【００９９】
図１１に示すように、スピーカＳＰは、音声合成部８８を介して制御部１００に電気的に接続されている。スピーカＳＰは、制御部１００の指令により予め決められている音声ガイダンス等を発声する。
【０１００】
音量調整ボリューム２２と、音声メッセージ切替えスイッチ２３は、制御部１００に電気的に接続されている。音声メッセージ切替えスイッチ２３が「有」である場合には、音声ガイダンスをスピーカＳＰから出すことができ、音声メッセージ切替スイッチ２３が「無」である場合には、図示しないブザーを鳴らすことができる。
【０１０１】
図１１に示すように、図５（Ｂ）にそれぞれ示された表示部８の［カバー閉じる］ランプ８Ｂと、［ウェハーカセット交換］ランプ８Ｃと、［ウェハー不良］ランプ８Ｄと、［要充電］ランプ８Ｅと、［室温不適］ランプ８Ｆと、［装置故障］ランプ８Ｇは、制御部１００の指令により点灯または点滅するように構成されている。
【０１０２】
図１１に示すように、図８に示すインターロック６０のソレノイド６１は、制御部１００の指令により作動する。具体的には、図８に例示するように、ソレノイド６１のインターロック６０が下端位置６０Ｌにある場合には、インターロック６０が破線で示すように発光部８９Ａからの光８９Ｌを遮るので、受光部８９Ｂは、制御部１００に対して「クランプ蓋部３をインターロックしていないという信号」を送信する。これに対して、ソレノイド６１のインターロック６０が上端位置６０Ｈにある場合には、インターロック６０が実線で示すように発光部８９Ａからの光８９Ｌを遮らないので、受光部８９Ｂは、制御部１００に対して「クランプ蓋部３をインターロックしているという信号」を送信する。これにより、制御部１００は、クランプ蓋部３のロック状態あるいは非ロック状態を把握する。
【０１０３】
図１１に示すように、筐体側クランプ部５０のホールセンサ９０は、制御部１００に電気的に接続されており、検出結果を制御部１００へ送信するように構成されている。図９、図１４に示すように、第１突起５２Ａと第２突起５２Ｂの間のはめ込み溝５２Ｃに第１のチューブＴ１と第２のチューブＴ２が順番にはめ込まれると、チューブＴ１とチューブＴ２により、スプリング９２の力に抗してチューブ検出ピン７５がＺ２方向へ押し込まれる。この押し込みにより、チューブ検出ピン７５が下がるため、ホールセンサ９０によりマグネット９１の磁力が検出される。そして、ホールセンサ９０は制御部１００へ、「２本のチューブＴ１、Ｔ２が正しくはめ込まれたこと」を通知する旨の信号を送信する。仮に、チューブＴ１とチューブＴ２がはめ込み溝５２Ｃに十分にはめ込まれていないか、あるいはどちらか１本のチューブだけがはめ込まれている場合には、ホールセンサ９０がマグネット９１の磁力を検出できない。この際、ホールセンサ９０は、制御部１００へ、「２本のチューブＴ１、Ｔ２が正しくはめ込まれていないこと」を通知する旨の信号を送信する。
【０１０４】
図１１に示すように、筐体側クランプ部５０は、マイクロスイッチ９３を有している。マイクロスイッチ９３は、クランプ蓋部３の開閉状態を検出するセンサである。マイクロスイッチ９３は、図６に示すようにクランプ蓋部３のクランプ操作部３１を指で持って、矢印ＲＳ方向に中心軸ＣＬを中心にして回転させた際に、図１に示すようにクランプ板３０が筐体側クランプ部５０を閉じたことを検知する。なお、マイクロスイッチ９３としては、例えば、筐体側クランプ部５０が閉じられた際に、筐体２の任意の位置に対して当接により閉じられたことを検出する機械式のセンサや、筐体側クランプ部５０の位置に基づいて閉じられたことを検出する電気式のセンサなど公知のセンサを使用することが可能である。
【０１０５】
図１１に示すように、ウェハーカセット収納ユニット８２は、ウェハー有無センサ１０１と、ウェハー残量検出センサ１０２を有している。ウェハー有無センサ１０１は、図１に示すウェハーカセットＷＣ内にウェハーＷＦが残っているか否かを検出するセンサである。ウェハー残量検出センサ１０２は、図１に示すウェハーカセットＷＣ内に何枚のウェハーＷＦが残っているか、すなわちウェハーＷＦの残枚数を検出するセンサである。ウェハー有無センサ１０１とウェハー残量検出センサ１０２には、例えば、公知のフォトセンサ等を使用できる。
【０１０６】
図１１に示すウェハー送りユニット８３は、ウェハーカセットＷＣ内のウェハーＷＦを所定の待機ポジションＰＳ１まで直線移動するためのユニットである。ウェハー送りユニット８３は、モータ１０３、モータドライブ１０４、前進端センサ１０５、中間センサ１０６、そして後進端センサ１０７を有する。モータドライブ１０４は、制御部１００からの指令を受けると、モータ１０３を駆動して、ウェハーカセットＷＣ内のウェハーを一枚ずつ待機ポジションＰＳ１へ直線移動させる。なお、ウェハー送りユニット８３の詳細については後述する。
【０１０７】
図１１に示すように、制御部１００は、ウェハー加熱ヒータ１１０、モータドライブ１１１、カムモータセンサ１１２、クランプモータセンサ１１３、ウェハー電流検出部１１５、ウェハー電圧検出部１１６、ファンＦＮのそれぞれと電気的に接続されている。モータドライブ１１１が制御部１００から指令を受けると、モータドライブ１１１は、各チューブＴ１、Ｔ２を溶断および接合するためにカムモータ１１７やクランプモータ５６を駆動する。
【０１０８】
図１１に示すカムモータ１１７は、ウェハーＷＦを上下移動させる動作と、２本のチューブを寄せる動作を行う。このカムモータ１１７が行うウェハーＷＦを上下移動させる動作とは、ウェハーＷＦを待機ポジションＰＳ１からその上方に位置する溶断ポジションＰＳｍに上昇させ、逆にウェハーＷＦを溶断ポジションＰＳｍから待機ポジションＰＳ１に下降させる動作である（図２１、図２２を参照）。また、カムモータ１１７は、２本のチューブＴ１、Ｔ２を溶断した後、各チューブＴ１、Ｔ２同士を寄せる動作を実施する。この寄せる動作とは、ウェハーＷＦを溶断ポジションＰＳｍから待機ポジションＰＳ１に下げて待機させた後に、第１のチューブＴ１の溶断した端部と第２のチューブＴ２の溶断した端部を、相手方のチューブの溶断した端部に対してそれぞれ寄せることにより加圧接合する動作である。カムモータ１１７の動作例については後述する。
【０１０９】
クランプモータ５６は、図７に例示した可動クランプユニット７２の１８０度の回転と、１８０度回転した後の復帰回転を行う。
【０１１０】
カムモータセンサ１１２は、カム位置と原点を検出する例えばフォトセンサで構成される。クランプモータセンサ１１３は、可動クランプユニット７２の回転時の原点を検出する例えばフォトセンサで構成される。
【０１１１】
ウェハー加熱ヒータ１１０は、制御部１００からの指令によりウェハーを加熱するために設けられている。通電の際には、ウェハー電流検出部１１５は、ウェハーに供給されているウェハー電流値を検出する。また、ウェハー電圧検出部１１６は、ウェハーに供給されているウェハー電圧値を検出する。
【０１１２】
次に、図１２、図１３を参照して、ウェハーカセット収納ユニット８２およびウェハーカセットＷＣについて説明する。
【０１１３】
図１２は、筐体２のウェハーカセット挿入部２０と、ウェハーカセット取り出しボタン２１の周辺部と、ウェハーカセットＷＣとを示している。図１３（Ａ）は、ウェハーカセットＷＣの下面側を示す斜視図であり、図１３（Ｂ）は、ウェハーカセットＷＣの上面側を示す斜視図である。
【０１１４】
ウェハーカセット挿入部２０とウェハーカセット取り出しボタン２１は、図１０に示すウェハーカセット収納ユニット８２に配置されている。
【０１１５】
図１２（Ａ）に示すように、ウェハーカセットＷＣの上面部１２０には、挿入方向を示す矢印２１Ｙが設けられている。使用者がウェハーカセットＷＣを矢印２１Ｙに従って、図１２（Ｂ）に示すようにウェハーカセット挿入部２０内に挿入する。その後、ウェハーＷＦを使用したことでウェハーカセットＷＣ内のウェハーＷＦが無くなると、使用者は図１２（Ｃ）に示すようにウェハーカセット取り出しボタン２１を指で押すことにより、空のウェハーカセットＷＣをウェハーカセット挿入部２０内から取り出すことができる。
【０１１６】
図１３（Ａ）、（Ｂ）に示すように、ウェハーカセットＷＣは、複数枚のウェハーＷＦを収容するための容器として構成されている。ウェハーカセットＷＣは、好ましくは、内部のウェハーＷＦを目視で確認できるようにするために、透明のプラスチックにより作られる。
【０１１７】
ウェハーカセットＷＣは、上面部１２０と、底面部１２１と、正面部１２２と、側面部１２３、１２４と、背面部１２５により構成されている。
【０１１８】
正面部１２２の内側には、一枚ずつウェハーＷＦが配置される。そして、図１３（Ｂ）に示すように、ウェハーＷＦに対して押し出し用の部材１２６をＹ１方向に押し付けることで、１枚のウェハーＷＦは、ウェハーカセットＷＣの内部から一枚ずつＹ１方向に沿って所定の待機位置ＰＳ１へ押し出される。ウェハーＷＦの移動動作の詳細は後述する。
【０１１９】
図１３（Ａ）、（Ｂ）に示すように、ウェハーカセットＷＣの内部には、２本のスプリング１２８とスプリング受け部材１２９とが収容されている。２本のスプリングの各一端部は、ウェハーカセットＷＣの背面部１２５の内面に支持されている。一方、２本のスプリングの各他端部は、スプリング受け部材１２９に支持されている。このスプリング受け部材１２９は、各スプリング１２８がずれないようにするための位置ずれ防止部１３０を有している。
【０１２０】
２本のスプリング１２８は、スプリング受け部材１２９を介して、複数枚のウェハーＷＦを正面部１２２の内面に対して押し付ける。各ウェハーＷＦが２本のスプリング１２８によって保持された状態で、正面部１２２側に位置するウェハーＷＦに対して押し出し用の部材１２６をＹ１方向に押し付けると、最も外側に位置する１枚のウェハーＷＦだけがウェハーカセットＷＣ内からＹ１方向に沿って取り出される。
【０１２１】
図１３（Ａ）に示すように、切断部材として用いられるウェハーＷＦは、ウェハー加熱ヒータ１１０（図１１、図１４を参照）により加熱可能な略長方形状に形成された銅製の金属板（厚み：０．３ｍｍ程度、幅：３４ｍｍ程度、高さ１３ｍｍ程度）で構成されている。なお、ウェハーＷＦは、加熱される際にウェハー加熱ヒータ１１０に接続される２つの接点１３１を有している。
【０１２２】
次に、チューブセット補助具４について説明する。
【０１２３】
チューブセット補助具４は、筐体２に対して使用者が必要に応じて取り付けることができる。チューブセット補助具４は、使用者が図１２（Ｃ）に示すように、２本のチューブＴ１、Ｔ２を筐体２に保持する作業を確実に行えるようにするためのガイド機能を有している。図１２（Ｃ）に示すように、使用者は、２本のチューブＴ１、Ｔ２を挟み込んで保持する場合に、その作業を簡単かつ迅速に行うことが可能になる。
【０１２４】
図２、図３、図４に示すように、チューブセット補助具４は、第１側部１３５と、第２側部１３６と、裏面連結部１３７を有している。
【０１２５】
図２に示すように、第１側部１３５は、爪部分１３５Ａと、分岐部１３５Ｂ、１３５Ｃを有している。爪部分１３５Ａは、筐体２の操作パネル部７の周辺部に取り付け可能に構成されている。
【０１２６】
図３に示すように、第２側部１３６は、爪部分１３６Ａと、分岐部１３６Ｂ、１３６Ｃと、チューブを受けるためのＵ字型の受け部１３８を有している。爪部分１３６Ａは、筐体２の操作パネル部７の周辺部に取り付け可能に構成されている。受け部１３８は、図１２（Ｃ）に示すように、２本のチューブＴ１、Ｔ２を受けるようになっている。また、図３に示すように、分岐部１３６Ｂと分岐部１３６Ｃの間に空間を設けることにより、音量調整ボリューム２２を露出させることができ、使用者が音量調整ボリューム２２を操作し易く構成されている。
【０１２７】
図４に示すように、チューブセット補助具４の裏面連結部１３７は、第１連結部分１３７Ａと第２連結部分１３７Ｂを有している。第１連結部分１３７Ａには、設置用部材２Ｇを通す開口部１３７Ｃが形成されている。第２連結部分１３７Ｂには、設置用部材２Ｇの高さに合わせた突起部１３７Ｄが設けられている。これにより、筐体２は、４つの設置用部材２Ｇと２つの突起部１３７Ｄにより、例えば机面等に対して、所定間隔だけ浮かせた状態で設置することができる。
【０１２８】
チューブセット補助具４の第１連結部分１３７Ａと第２連結部分１３７Ｂの間には、音声用開口部５と排気用開口部６を露出させ、かつ、排気装置であるファンＦＮの排気用開口部６ＡとスピーカＳＰ用の音声用開口部５Ａを開放する開放部分１４４が形成されている。このため、ファンＦＮは、筐体２の内部の気体や熱を開口部６を通じて筐体２の外部に確実に放出できる。また、スピーカＳＰが発生する音声ガイダンスや警告音等は、開口部５を通じて筐体２の外部に確実に出力できるので、音声ガイダンスや警告音等がこもらずに聞き易くなる。
【０１２９】
次に、図１４を参照して、ファンＦＮと、筐体側クランプ部５０における２本のチューブＴ１、Ｔ２とウェハーＷＦの位置関係を説明する。
【０１３０】
図１４には、クランプ蓋部３および筐体側クランプ部５０によって固定保持された各チューブＴ１、Ｔ２をウェハーカセットＷＣから送り出したウェハーＷＦにより切断する前後の様子が模式的に示されている。
【０１３１】
ウェハーＷＦは、図１０に示すウェハー送りユニット８３が備える移動機構５００（図２０を参照）を作動させることにより、ウェハーカセットＷＣからＹ１方向に送られ、待機ポジションＰＳ１に配置される。
【０１３２】
図１４に示すように、ウェハーＷＦが待機ポジションＰＳ１に配置されると、ウェハーＷＦの２つの接点１３１は、ウェハー加熱ヒータ１１０に接続される。そして、ウェハー加熱ヒータ１１０は、制御部１００の指令により接点を通電して発熱する。この発熱によりウェハーＷＦは加熱される。加熱されたウェハーＷＦの下方には、ファンＦＮが配置されている。
【０１３３】
各チューブＴ１、Ｔ２は、溶断される際に、図９に示す各はめ込み溝５１Ｃ、５２ＣにＺ２方向に積み重ねた状態ではめ込まれる。そして、図１４に示すように、ウェハーＷＦが待機ポジションＰＳ１から溶断ポジションＰＳ２に上昇すると、ウェハーＷＦにより２本のチューブＴ１、Ｔ２が溶断される。この際、２本のチューブＴ１、Ｔ２の構成材料である可塑剤が気化してガスが発生する。ガスは回転駆動されるファンＦＮにより、矢印ＭＹで示す排出経路に沿って底面部２Ａの排気用開口部６から筐体２の外部へ排出される。このため、筐体２の付近にプラスチック製品等が置かれていても、可塑剤のガスがプラスチック製品に対して直接吹き付けられることが無いので、プラスチック製品の一部が溶ける等といった悪影響を受けない。
【０１３４】
次に、図１６〜図１９を参照して、２本のチューブＴ１、Ｔ２を接合する作業工程を説明する。図１６、図１７は、チューブ接合装置１に各チューブＴ１、Ｔ２をセットする工程を概略的に示す図であり、図１８、図１９は、チューブ接合装置１による溶断−接合作業の流れを概略的に示す図である。
【０１３５】
チューブ接合装置１による溶断作業を開始するにあたり、インターロック６０は筐体２内に引っ込んで格納された状態にある（図８の破線で示す状態）。まず、使用者は、チューブ接合装置１のクランプ操作部３１を掴んで、図１に示す矢印ＲＴ方向に持ち上げる。すると、図６に示すように、クランプ蓋部３が筐体側クランプ部５０から離れて、筐体側クランプ部５０が外部に開いた状態となる。
【０１３６】
次に、図１６（Ａ）に示すように、チューブＴ１を準備する。そして、図１６（Ｂ）に示すように、チューブＴ１の接合部分Ｃ１を筐体側クランプ部５０のはめ込み溝５１Ｃとはめ込み溝５２Ｃにはめ込む（図９をも参照）。この際、第１のチューブＴ１は、はめ込み溝５２Ｃ側からＸ１方向に向けてはめ込む。この作業により、チューブＴ１のコネクターＣＴ側の部分はチューブセット補助具４のＵ字型の受け部１３８上に配置され、コネクターＣＴは受け部１３８の外側に位置される。
【０１３７】
次に、図１６（Ｃ）に示すように、第１のチューブＴ１に接合される第２のチューブＴ２を準備する。なお、第２のチューブＴ２としては、例えば、当該接合作業の前に、既に前回の接合の際に形成された接合部１４１を有したものを使用することができる。この接合部１４１の断面は円形状に形成されている。
【０１３８】
次に、図１７（Ａ）に示すように、第１のチューブＴ１の上側に第２のチューブＴ２を積み重ねる。チューブＴ２の接合部１４１を、筐体側クランプ部５０に設けられた位置決め用突起１４０の先端に合わせるようにして、第２のチューブＴ２をセットする。
【０１３９】
第２のチューブＴ２は、筐体側クランプ部５０のはめ込み溝５１Ｃ、５２Ｃにはめ込む。この際、第２のチューブＴ２は、はめ込み溝５１Ｃ側からＸ２方向に向けてはめ込む。これにより、図１７（Ｂ）に示すように、第２のチューブＴ２は第１のチューブＴ１の上側においてＺ１方向に沿って積み重なる。この状態で、各チューブＴ１、Ｔ２を矢印ＲＺ方向に押し込んで、はめ込み溝５１Ｃ、５２Ｃ内で確実に固定させる。
【０１４０】
次に、使用者は、図６に示すように開いた状態にあるクランプ蓋部３を閉じる作業を行う。クランプ操作部３１を掴んで、クランプ蓋部３を図６に示すＲＳ方向に沿って回転させると、クランプ蓋部３が閉じる。これにより、図１８（Ａ）に示すように、各チューブＴ１、Ｔ２は、第１のチューブ挟み込み部５１と第２収容部材３７の間、および、第２のチューブ挟み込み部５２と第１収容部材３６の間にそれぞれ挟み込まれる。
【０１４１】
そして、ウェハーＷＦがウェハーカセットＷＣから、図１８（Ｂ）に示すように各チューブＴ１、Ｔ２の下方に位置する待機ポジションＰＳ１へ移動される。この際、ウェハーＷＦは、図１４に示すウェハー加熱ヒータ１１０の加熱により、例えば、約３００℃に加熱される。加熱されたウェハーＷＦは、後述するカムモータ１１７の作動により、図１８（Ｂ）に示すように、破線で示す待機ポジションＰＳ１から実線で示す溶断ポジションＰＳｍまでＺ１方向に沿って上昇される。その結果、ウェハーＷＦにより各チューブＴ１、Ｔ２が溶断される。
【０１４２】
続いて、図１８（Ｃ）に示すように、図７に示すクランプモータ５６が制御部１００の指令により作動して、クランプモータ５６がギア５６Ｇを回転させる。すると、第２収容部材３７と一体的に構成された第１のチューブ押さえ部材３５と、第１のチューブ挟み込み部５１と一体的に構成された第２のチューブ押さえ部材５３は、第１のチューブＴ１と第２のチューブＴ２を保持したまま１８０度回転する。その結果、第１のチューブＴ１の溶断した端部が上側に配置され、第２のチューブＴ２の溶断した端部が下側に配置される。
【０１４３】
次に、図１８（Ｄ）に示すように、ウェハーＷＦが溶断ポジションＰＳｍから待機ポジションＰＳ１にＺ２方向に沿って下がるとともに、１８０度回転された側に位置する各チューブＴ１、Ｔ２がＸ２方向へ押される。これにより、ウェハーＷＦにより溶断され、かつ、１８０度回転された側に位置する第１のチューブＴ１の一方の端部は、回転されていない側に位置する第２のチューブＴ２の他方の端部に対して加圧して接合される。また、ウェハーＷＦにより溶断され、かつ、１８０度回転された側に位置する第２のチューブＴ２の一方の端部は、回転されていない側に位置する第１のチューブＴ１の他方の端部に対して加圧して接合される。次いで、各チューブＴ１、Ｔ２が冷却されて接合が完了する。
【０１４４】
接合が完了した後、溶断に使用した使用済みのウェハーＷＦは、後述する移動機構５００により、取出し口５８へ排出される。使用者は使用済みのウェハーＷＦを指で摘んで取出し口５８から取り出すことができる。
【０１４５】
その後、使用者は、クランプ操作部３１を掴んで、図１に示す矢印ＲＴ方向に持ち上げる。すると、図６に示すようにクランプ蓋部３が筐体側クランプ部５０から離れる。使用者は、図１９（Ａ）、（Ｂ）に示すように接合した後の各チューブＴ１、Ｔ２を筐体側クランプ部５０から取り外して分離する。以上のようにして、図１５に示す透析液バッグＢＬ側のチューブＴ１と、使用者Ｍ側のチューブＴ２とを、無菌的にしかも簡便に接合することができる。
【０１４６】
次に、ウェハーカセットＷＣ内に収容されたウェハーＷＦを、待機ポジションＰＳ１と排出ポジションＰＳ２へ移動させる移動機構５００について、図２０を参照して説明する。図２０は、移動機構５００とウェハーカセット収納ユニット８２の平面図である。
【０１４７】
図２０に示す移動機構５００は、筐体２内のウェハー送りユニット８３に位置され、ウェハーカセット収納ユニット８２と取出し口５８の付近に配置されている。
【０１４８】
ウェハーカセット収納ユニット８２内には、前述したようにウェハーカセットＷＣが収納されている。移動機構５００は、このウェハーカセットＷＣ内の未使用のウェハーＷＦを１枚ずつＹ１方向に押し出して、待機ポジションＰＳ１へ送る。さらに、移動機構５００は、溶断に使用された使用済みのウェハーＷＦを取出し口５８へ移動させる。以下の説明において、便宜上、溶断に使用される前のウェハーを未使用のウェハーＷＦ１とし、溶断に使用されたウェハーを使用済みのウェハーＷＦ２とし、これらのウェハーを総称してウェハーＷＦとする。
【０１４９】
図２０に示すように、移動機構５００は、ウェハー移動操作部５０１と、ウェハー送り位置検出部５０２と、ホルダー部５０３を有している。ウェハー移動操作部５０１は、ウェハーカセット収納ユニット８２に対面する位置において、Ｙ１方向に沿って設けられている。
【０１５０】
ウェハー移動操作部５０１の構造を説明する。
【０１５１】
ウェハー移動操作部５０１は、移動体(スライダー)５１０と、第１基部５１１と、第２基部５１２と、送りネジ５１３と、ガイドバー５１４と、モータ１０３を有している。第１基部５１１と第２基部５１２は、間隔をおいて対面するようにして、筐体２の底面シャーシ２ＮにおいてＺ１方向に立設されている。
【０１５２】
ガイドバー５１４は、第１基部５１１と第２基部５１２の間に固定されている断面円形の細い部材である。送りネジ５１３の一端部は、第１基部５１１に対して回転可能に取り付けられ、送りネジ５１３の他端部は、第２基部５１２に対して回転可能に取り付けられている。送りネジ５１３の一端部にはギア５１５が取り付けられている。ギア５１５は、モータ１０３の出力軸に固定されている別のギア５１６にかみ合っている。制御部１００がモータドライブ１０４に指令を与えると、モータ１０３はギア５１５、５１６を介して送りネジ５１３を正回転と逆回転させる。
【０１５３】
送りネジ５１３とガイドバー５１４は、Ｙ１方向に沿って設けられており、互いに平行に配置される。移動体５１０は、メネジ部分５１７と円筒状の受け部材５１８を有している。送りネジ５１３はメネジ部分５１７にかみ合っており、ガイドバー５１４は受け部材５１８を通っている。
【０１５４】
移動体５１０は、位置指示部材５２０と、押圧部材５３０を有している。位置指示部材５２０はＸ１方向を向いており、押圧部材５３０はＹ１方向を向いている。
【０１５５】
押圧部材５３０は、Ｙ１方向とＺ１方向に沿う平面に延在する板状の金属製の部材によって構成されている。その厚みは、ウェハーＷＦの厚み（０．３ｍｍ程度）より僅かに薄く構成されている。また、押圧部材５３０は移動体５１０からＹ１方向に突き出すように配置されている。押圧部材５３０は移動体５１０のウェハーカセット収納ユニット８２に近い位置に取り付けられている。
【０１５６】
移動体５１０がＹ１方向に移動することで、移動体５１０の押圧部材５３０は、ウェハーカセット収納ユニット８２に収納されているカセットＷＣ内から未使用のウェハーＷＦ１を一枚ずつＹ１方向に沿って直線的に送り出す。
【０１５７】
図２０に示すホルダー部５０３は、Ｙ１方向に沿って押圧部材５３０の延長線上に配置されている。ホルダー部５０３は、ウェハーカセットＷＣからＹ１方向に押し出されてきたウェハーＷＦ１の下端面を支えながら、ウェハーＷＦ１をＹ１方向に案内して待機ポジションＰＳ１に位置決めする。このため、ホルダー部５０３は、断面Ｕ字型の溝を有していて、その溝幅は、ウェハーＷＦ１の厚み（０．３ｍｍ程度）より僅かに大きくなっている。このホルダー部５０３は、使用済みのウェハーＷＦ２を取出し口５８へ案内する機能も備えている。
【０１５８】
次に、移動機構５００のウェハー送り位置検出部５０２を説明する。
【０１５９】
ウェハー送り位置検出部５０２は、前進端センサ１０５と、中間センサ１０６と、後進端センサ１０７の３つのセンサを有している。これらの各センサ１０５、１０６、１０７は、例えば、公知のフォトセンサによって構成することが可能である。
【０１６０】
図２０に示すように、前進端センサ１０５は、光１０５Ｌを発生する発光部１０５Ａと、この光１０５Ｌを受光する受光部１０５Ｂを有する。また、中間センサ１０６は、光１０６Ｌを発生する発光部１０６Ａと、この光１０６Ｌを受光する受光部１０６Ｂを有する。また、後進端センサ１０７は、光１０７Ｌを発生する発光部１０７Ａと、この光１０７Ｌを受光する受光部１０７Ｂを有する。
【０１６１】
前進端センサ１０５の発光部１０５Ａ、中間センサ１０６の発光部１０６Ａ、後進端センサ１０７の発光部１０７Ａは、例えば、赤外発光ダイオードで構成することができる。また、前進端センサ１０５の受光部１０５Ｂ、中間センサ１０６の受光部１０６Ｂ、後進端センサ１０７の受光部１０７Ｂは、例えば、フォトトランジスタで構成することができる。また、発光部１０５Ａと受光部１０５Ｂ、発光部１０６Ａと受光部１０６Ｂ、発光部１０７Ａと受光部１０７は、例えば、それぞれが小型樹脂にモールドされた一体型の反射型フォトセンサで構成することができる。なお、前進端センサ１０５、中間センサ１０６、後進端センサ１０７は、例えば、透過型フォトセンサで構成することも可能である。
【０１６２】
前進端センサ１０５の発光部１０５Ａの発生する光１０５Ｌは、前進端位置ＰＭ１に移動体５１０の位置指示部材５２０が到達すると、位置指示部材５２０により反射されることで、受光部１０５Ｂに受光される。同様にして、中間センサ１０６の発光部１０６Ａの発生する光１０６Ｌは、中間位置ＰＭ２に移動体５１０の位置指示部材５２０が到達すると、位置指示部材５２０により反射されることで、受光部１０６Ｂに受光される。また、同様にして、後進端センサ１０７の発光部１０７Ａの発生する光１０７Ｌは、後進端位置ＰＭ３に移動体５１０の位置指示部材５２０が到達すると、位置指示部材５２０により反射されることで、受光部１０７Ｂに受光される。
【０１６３】
前進端センサ１０５の受光部１０５Ｂと、中間センサ１０６の受光部１０６Ｂと、後進端センサ１０７の受光部１０７Ｂが、それぞれ光１０５Ｌ、１０６Ｌ、１０７Ｌを受光すると、受光信号１０５Ｓ、１０６Ｓ、１０７Ｓが制御部１００へ送られる。これにより、制御部１００は、移動体５１０の位置指示部材５２０のＹ１方向に関する位置、すなわちウェハーＷＦのＹ１方向に関する押し出し位置を確認することができる。
【０１６４】
次に、移動機構５００によるウェハーＷＦの位置決め動作を説明する。
【０１６５】
前述したように、チューブ接合装置１を使用した各チューブＴ１、Ｔ２の接合を行うにあたり、使用者は、図６に示すようにクランプ蓋部３を開いた状態にする。そして、各チューブＴ１、Ｔ２を筐体側クランプ部５０にセットする。
【０１６６】
また、接合を開始する前の準備作業として、ウェハーカセット収納ユニット８２内にウェハーカセットＷＣをセットする作業を行う。図２０に示すように、ウェハーカセットＷＣをセットした段階においては、移動機構５００が備えるウェハー移動操作部５０１の移動体５１０は、後進端位置ＰＭ３に位置決めされる。これにより、ウェハーカセットＷＣ内に収納されたウェハーＷＦ１の後端部５３０Ｒが、移動機構５００が備えるウェハー移動操作部５０１の押圧部材５３０の先端部５３０Ｔに突き当たる位置に配置される。
【０１６７】
制御部１００が、モータドライブ１０４に指令を与えると、モータ１０３がギア５１５、５１６を介して送りネジ５１３を正回転させる。これにより、移動体５１０は、ガイドバー５１４に沿ってＹ１方向に直線移動を始める。そして、押圧部材５３０の先端部５３０Ｔは、ウェハーカセットＷＣ内の未使用のウェハーＷＦ１を１枚ずつＹ１方向に押し出して待機ポジションＰＳ１に位置決めする。
【０１６８】
押圧部材５３０により未使用のウェハーＷＦ１が待機ポジションＰＳ１へ送られると、移動体５１０に設けられた位置指示部材５２０がＹ１方向に前進するので、位置指示部材５２０の位置が後進端センサ１０７、中間センサ１０６、そして前進端センサ１０５の順番で検出される。後進端センサ１０７、中間センサ１０６、そして前進端センサ１０５がそれぞれ位置指示部材５２０を検出すると、受光信号１０７Ｓ、１０６Ｓ、１０５Ｓを制御部１００に送る。これにより、制御部１００は、移動体５１０の位置指示部材５２０のＹ１方向に関する位置、すなわちウェハーＷＦ１のＹ１方向に関する押し出し位置を確認することができる。
【０１６９】
図２０に示すように、未使用のウェハーＷＦ１が１枚ずつＹ１方向に押し出されて待機ポジションＰＳ１に位置決めされると、制御部１００はウェハー加熱ヒータ１１０に通電する。これにより、ウェハー加熱ヒータ１１０は、ウェハーＷＦに設けられた２つの接点１３１（図１３（Ａ）を参照）を介してウェハーＷＦを通電・加熱して所定の温度に上げる。
【０１７０】
その後、制御部１００は、図１１に示すモータドライブ１１１に指令を出す。これにより、カムモータ１１７が駆動して、ウェハーＷＦ１を載せたホルダー部５０３がＺ１方向に押し上げられる。そして、ウェハーＷＦ１は待機ポジションＰＳ１からＺ１方向に持ち上げられて溶断ポジションＰＳｍに位置決めされる。この際に２本のチューブＴ１、Ｔ２が溶断される。なお、ホルダー部５０３の動作の詳細については後述する。
【０１７１】
次に、制御部１００は、モータドライブ１１１に指令を出して、カムモータ１１７を駆動して、溶断に使用された使用済みのウェハーＷＦ２を載せたホルダー部５０３を溶断ポジションＰＳｍから待機ポジションＰＳ１までＺ２方向に沿って下げる。
【０１７２】
次に、図１８（Ｃ）に示すように第１のチューブＴ１と第２のチューブＴ２が同時に１８０°回転されることで第１のチューブＴ１の溶断した端部と第２のチューブＴ２の溶断した端部が入れ替えられた後、それぞれの端部が加圧接合される。
【０１７３】
待機ポジションＰＳ１に戻った使用済みのウェハーＷＦ２は、押圧部材５３０によりＹ１方向にさらに移動されることで、取出し口５８まで押し出される（図１、図６を参照）。そして、使用者が指で使用済みのウェハーＷＦ２を摘むことで、筐体２内に使用済みのウェハーＷＦ２を落としてしまうこと無く取り出すことが可能になる。
【０１７４】
２本のチューブＴ１、Ｔ２を溶断して加圧接合を行った後、制御部１００が図１１に示すモータドライブ１０４に指令を与えて送りネジ５１３を逆回転させると、移動体５１０と押圧部材５３０は、Ｙ２方向に沿って直線移動して後進端位置ＰＭ３に復帰する。
【０１７５】
ここで、位置指示部材５２０が、後進端センサ１０７により検出されている状態では、押圧部材５３０の先端部５３０Ｔは未使用のウェハーＷＦ１を押し始めていないので、未使用のウェハーＷＦ１はウェハーカセットＷＣ内からＹ１方向に飛び出していない。したがって、この時点では、ウェハーカセットＷＣをウェハーカセット収納ユニット８２から取り出すことが可能である。
【０１７６】
一方で、位置指示部材５２０が、中間センサ１０６により検出されている状態では、押圧部材５３０と未使用のウェハーＷＦ１がウェハーカセットＷＣに掛かっているので、ウェハーカセットＷＣをウェハーカセット収納ユニット８２から取り出すことができない。同様にして、位置指示部材５２０が前進端センサ１０５により検出されている状態では、押圧部材５３０がウェハーカセットＷＣに掛かっているので、ウェハーカセットＷＣをウェハーカセット収納ユニット８２から取り出すことができない。
【０１７７】
このように、後進端センサ１０７、中間センサ１０６、そして前進端センサ１０５がＹ１方向に沿って互いに間隔をおいて配置されているため、ウェハーカセット収納ユニット８２からウェハーカセットＷＣを取り出すことが可能なタイミングを検出することができる。そして、このウェハーカセットＷＣの取出し可能なタイミングを示す案内は、例えば図２０に例示するように表示部８に表示することができる。
【０１７８】
本実施形態に係るチューブ接合装置１は、後述するように溶断に使用された使用済みのウェハーＷＦ２が装置上に残置されることにより生じるタイムアウトエラーや接合不良の発生を未然に防止するために、使用済みのウェハーＷＦ２の姿勢を適切に保持することが可能な構成を有している。
【０１７９】
概説すると、チューブ接合装置１は、第１のチューブＴ１および第２のチューブＴ２を保持する筐体側クランプ部５０（保持部に相当する）を備える筐体２と、筐体２に設けられ、複数のウェハーＷＦを収容可能に構成されたウェハーカセット収納ユニット８２（収容部に相当する）と、筐体側クランプ部５０に保持された第１のチューブＴ１および第２のチューブＴ２を溶断する際にウェハーＷＦを待機させる待機ポジションＰＳ１（第１の位置に相当する）へウェハーカセット収納ユニット８２に収容されたウェハーＷＦを移動させ、溶断作業後に、筐体２からウェハーＷＦが取り出し可能となる排出ポジションＰＳ２（第２の位置に相当する）へ溶断に使用された使用済みのウェハーＷＦ２を移動させる移動機構５００と、排出ポジションＰＳｍにおいて、使用済みの切断部材ＷＦ２の姿勢を、当該切断部材ＷＦ２が待機ポジションＰＳ１から排出ポジションＰＳ２へ移動された際の姿勢に保持する姿勢保持部６０４とを有している。
【０１８０】
図２１（Ａ）、（Ｂ）に示すように、姿勢保持部６０４は待機ポジションＰＳ１へ送られた切断部材ＷＦを第１のチューブＴ１および第２のチューブＴ２に対して接近離反移動させるように可動するホルダー部５０３に設けている。
【０１８１】
図２１〜図２４を参照して、ホルダー部５０３および姿勢保持部６０４について説明する。図２１は、ホルダー部５０３の概略斜視図、図２２〜図２４は、ホルダー部５０３を左側から見た側面を簡略化して示す図である。
【０１８２】
図２１には、ホルダー部５０３に未使用のウェハーＷＦ１が保持され、溶断に使用された使用後のウェハーＷＦ２がホルダー部５０３の前方側に位置する排出ポジションＰＳ２に移動された際の様子が示される。
【０１８３】
図２１、図２２（Ａ）に示すように、ホルダー部５０３は、未使用のウェハーＷＦ１の下端面が載置されるＵ字型の溝（図示省略）が形成された本体部６０１と、この本体部６０１を筐体２の所定の位置に対して昇降可能に支持する支持部材６０２と、当該ホルダー部５０３の昇降動作を駆動する図２２に示すカム６５１に当接されるベアリング部６０３と、前述の姿勢保持部６０４を有している。
【０１８４】
ホルダー部５０３の本体部６０１には当該本体部６０１に載置されたウェハーＷＦ１を直立した状態に支持する複数の支持部６０２ａ、６０２ｂ、６０２ｃが設けられている。支持部６０２ａは、支持部６０２ｂとの間でウェハーＷＦ１の先端部を挟み込むことで当該ウェハーＷＦ１を支持する。支持部６０２ｃは、ウェハーＷＦ１の後端部を収容して保持する。図示省略するが、ホルダー部５０３の本体部６０１の後端部６０１Ｒには、当該本体部６０１内へウェハーＷＦ１をスライド移動により進入可能とするための所定の進入穴が設けられている。前述した移動機構５００により移動された未使用のウェハーＷＦ１は、この進入穴を介して本体部６０１上に載置される。
【０１８５】
ホルダー部５０３に設けられた姿勢保持部６０４は、平板状に加工された金属により構成されている。姿勢保持部６０４は、本体部６０１の先端部５０３Ｆに設置されている。姿勢保持部６０４には、姿勢を保持する対象となるウェハーＷＦ２の外側面に当接される平面状の側面部６０４ａが形成されている。なお、姿勢保持部６０４は、後述するように使用済みのウェハーＷＦ２の姿勢を所定の姿勢に保持し得るように構成されていればよく、その限りにおいて材質、外形形状、寸法、設置位置、設置数等は特に限定されない。
【０１８６】
図２１に示すように、使用済みのウェハーＷＦ２は姿勢保持部６０４の側面部６０４ａによって支持されることで排出位置ＰＳ２にある状態においても、待機位置ＰＳ１に位置決めされた使用前のウェハーＷＦ１とほぼ同様の姿勢をとる。また、姿勢保持部６０４が本体部６０１の先端部６０１Ｆに配置されているため、当該姿勢保持部６０４により使用済みのウェハーＷＦ２が支持される間は、使用済みのウェハーＷＦ２の後端部５３０Ｒが未使用のウェハーＷＦ１の前端部５３０Ｆに向かい合うように位置決めされる。さらに、姿勢保持部６０４の側面部６０４ａが使用済みのウェハーＷＦ２の外側面に当接することにより使用済みのウェハーＷＦ２が幅方向（Ｘ１、Ｘ２方向）に位置ズレすることが防止されるため、待機ポジションＰＳ１の直線延長上に使用済みのウェハーＷＦ２が整列される。
【０１８７】
ホルダー部５０３に設けられたベアリング部６０３は、図２２に示すカム６５１の回転に伴い当該カム６５１の外表面に沿って摺動する。ベアリング部６０３が摺動することにより、ホルダー部５０３は所定方向（Ｚ１、Ｚ２方向）に昇降する。カム６５１の表面形状の変化によってホルダー部５０３が所定のタイミングでＺ１方向へ上昇して、ウェハーＷＦが溶断ポジションＰＳｍに到達すると、各チューブＴ１、Ｔ２が溶断される。溶断が終了した後、カム６５１を回転させると、カム６５１の表面形状の変化によってホルダー部５０３が所定のタイミングでＺ２方向へ下降し、ウェハーＷＦが待機位置ＰＳ１へ戻される。このように、ウェハーＷＦを保持したホルダー部５０３が昇降動作を行うことにより、各チューブＴ１、Ｔ２に対するウェハーＷＦの接近離反移動が行われる。
【０１８８】
カム６５１の回転動作は、制御部１００からカムモータ１１７へ送信される指令に基づいて実施される。制御部１００は、カム６５１を回転させるタイミングおよび停止させるタイミングやカム６５１の回転速度等を制御する。
【０１８９】
制御部１００によるホルダー部５０３の昇降動作の制御を正確に行うことを可能にするために、例えば、図２２に示すようなホルダー位置検出センサ６６１が設けられる。このホルダー位置検出センサ６６１は、ホルダー部５０３に設けられた姿勢保持部６０４との接触−非接触状態を検知可能な公知のセンサにより構成することができる。
【０１９０】
姿勢保持部６０４がホルダー位置検出センサ６６１に接触しているときには、ホルダー部５０３が下降した状態にあることが検出され、姿勢保持部６０４がホルダー位置検出センサ６６１に接触していないときには、ホルダー部５０３が上昇した状態にあることが検出される。検出結果は制御部１００へ送信される。制御部１００は、送信された検出結果に基づいてカム６５１の回転動作をフィードバック制御する。なお、ホルダー位置検出センサ６６１は、ホルダー部５０３の動作状態を検出可能であればその構成は特に制限されることはなく、例えば、公知のフォトセンサ等によって構成することも可能である。また、図示例では、姿勢保持部６０４の下端部がホルダー位置検出センサ６６１に接触−非接触となることによりホルダー部６０４の位置が検出されるように構成されているが、姿勢保持部６０４の下端部以外の部位がホルダー位置検出センサ６６１に接触することでその動作状態が検出されるように構成してもよい。
【０１９１】
次に、図２２〜図２４を参照して、ウェハーＷＦがホルダー部５０３へ送られ、その後に取出し口５８まで送り出される動作例を説明する。なお、本実施形態においては、使用済みのウェハーＷＦ１をチューブ接合装置１から取り出し可能となる排出ポジションＰＳ２は、取出し口５８付近に設定される。つまり、使用済みのウェハーＷＦ２は、当該使用済みのウェハーＷＦ２が取出し口５８へ移動された際に所定の姿勢をとるようにその姿勢が保持される。
【０１９２】
図２２（Ａ）に示すように、二本のチューブＴ１、Ｔ２の溶断−接合作業を開始するにあたり、図２０に示す移動機構５００によってウェハーカセットＷＣから未使用のウェハーＷＦ１がホルダー部５０３へ送られる。未使用のウェハーＷＦ１は、溶断を開始する前の待機ポジションＰＳ１に位置決めされる。この際、ウェハーＷＦ１に設けられた２つの接点１３１を介してウェハーＷＦ１が加熱される。
【０１９３】
次に、図２２（Ｂ）に示すように、制御部１００からカムモータ１１７へ指令を送信してカム６５１を回転させる。カム６５１が回転すると、ベアリング部６０３を介してカム６５１に当接したホルダー部５０３が持ち上げられる。これにより、ウェハーＷＦが各チューブＴ１、Ｔ２に接近移動して溶断ポジションＰＳｍに位置決めされる。ホルダー部５０３が持ち上げられると、ホルダー部５０３の上方に保持された各チューブＴ１、Ｔ２がウェハーＷＦにより溶断される。
【０１９４】
次に、図２３（Ａ）に示すように、カム６５１を再び回転させると、カム６５１の表面形状に従ってホルダー部５０３が各チューブＴ１、Ｔ２から離反移動する下降動作が開始される。溶断に使用された使用済みのウェハーＷＦ２は待機ポジションＰＳ１に位置決めされる。
【０１９５】
溶断−接合作業が終了した後、図２０に示す移動機構５００によってウェハーカセットＷＣから未使用のウェハーＷＦ１がホルダー部５０３へ送られる。この際、図２３（Ｂ）に示すように、未使用のウェハーＷＦ１の前端部５３０Ｆが使用済みのウェハーＷＦ２の後端部５３０Ｒに突き当てられる。未使用のウェハーＷＦ１は、使用済みのウェハーＷＦ２に突き当てられた状態でそのまま前進移動する。その結果、使用済みのウェハーＷＦ２は、筐体２内に設けられた所定の搬送路６１１を通って取出し口５８付近まで送り出される。使用済みのウェハーＷＦ２は、取り出し口５８付近に設定された排出ポジションＰＳ２において、ホルダー部５０３に設けられた姿勢保持部６０４により、その姿勢が待機ポジションＰＳ１から送られた状態のままで保持される。
【０１９６】
以上のように、ウェハーＷＦは筐体２内において各ポジションに位置決めされた後、取出し口５８へ移動される。
【０１９７】
溶断−接合作業を終えた後、他のチューブの溶断−接合作業を引き続き実施する場合には、使用済みのウェハーＷＦ２が取出し口５８から取り除かれた後、図５（Ａ）に示す［接合］ボタン７Ｅが使用者により押下される。［接合］ボタン７Ｅが押下されると、ウェハーカセットＷＣ内から送られた未使用のウェハーＷＦ１による溶断作業が開始される。ここで、取出し口５８に使用済みのウェハーＷＦ２が残置された状態で［接合］ボタン７Ｅが押下されて溶断作業が進行すると、以下に説明する対比例のような問題が発生し得る。
【０１９８】
図２５（Ａ）は対比例に係るチューブ接合装置の筐体９０２を示し、図２５（Ｂ）は対比例に係るホルダー部９０３の側面図を示す。また、各図には使用済みのウェハーＷＦ２が装置上に残置された状態で溶断作業が進行した際の様子が示される。
【０１９９】
図２５（Ａ）、（Ｂ）に示すように、使用済みのウェハーＷＦ２は未使用のウェハーＷＦ１によって押し出されて筐体９０２内の所定の搬送路９０６に沿って略直線的に移動するが、移動した後、姿勢保持部６０４などによりその姿勢が保持されないと、図２５（Ａ）の矢印ｄ１で示すように筐体２内で倒れ込んでしまう。このような倒れ込みが生じると、ホルダー部９０３の可動範囲（ホルダー部９０３の昇降動作が行われる際に、ホルダー部９０３が可動する範囲）に含まれる意図しない場所に使用済みのウェハーＷＦ２が置かれてしまう。このような状態で未使用のウェハーＷＦ１による溶断作業が進行すると、ホルダー部９０３と使用済みのウェハーＷＦ２とが干渉してしまう。図示例では、矢印ｄ２で示す下降動作中のホルダー部９０３が使用済みのウェハーＷＦ２と干渉する様子が示される。ホルダー部９０３と使用済みのウェハーＷＦ２が干渉すると、タイムアウトエラーや接合不良などの問題が発生してしまう。なお、ホルダー部９０３と使用済みのウェハーＷＦ２の干渉はホルダー部９０３が持ち上げられる上昇動作時にも発生し得る。
【０２００】
上記対比例に対して本実施形態に係るチューブ接合装置１においては、図２３（Ｂ）に示すようにホルダー部５０３に設けられた姿勢保持部６０４により排出ポジションＰＳ２にある使用済みのウェハーＷＦ２の姿勢が適切に保持される。このため、使用済みのウェハーＷＦ２が排出ポジションＰＳ２に残置されているような場合においても使用済みのウェハーＷＦ２が不用意に倒れ込むようなことがなく、ホルダー部５０３の可動範囲、すなわち、ホルダー部５０３の動作を妨げるような位置に使用済みのウェハーＷＦ２が置かれることがない。したがって、仮に、図２４（Ａ）に示すように排出ポジションＰＳ２に使用済みのウェハーＷＦ２が残置されている状態でホルダー部５０３が上昇動作を行う場合や、図２４（Ｂ）に示すようにホルダー部５０３が下降動作を行う場合においても、ホルダー部５０３と使用済みのウェハーＷＦ２が干渉することはない。
【０２０１】
以上のように本実施形態に係るチューブ接合装置１によれば、溶断に使用された使用済みのウェハーＷＦ２が当該装置からウェハーＷＦが取り出し可能となる排出ポジションＰＳ２にあるときには、排出ポジションＰＳ２へ移動された際の姿勢が姿勢保持部６０４によりそのまま保持されるため、使用済みのウェハーＷＦ２が排出ポジションＰＳ２において倒れ込む等して不用意な姿勢をとることがない。このため、使用済みのウェハーＷＦ２が排出ポジションＰＳ２に残置された状態で溶断作業が進行する場合においても、溶断作業時に可動する装置各部と使用済みのウェハーＷＦ２の干渉が防止される。その結果、排出ポジションＰＳ２に使用済みのウェハーＷＦ２が残置されていることに起因するタイムアウトエラーや接合不良などの問題が発生することを未然に防止することが可能になる。
【０２０２】
また、各チューブＴ１、Ｔ２に対してウェハーＷＦを接近離反移動させるホルダー部５０３に姿勢保持部６０４が設けられており、使用済みのウェハーＷＦ２の姿勢を保持することによってホルダー部５０３の可動範囲内に使用済みのウェハーＷＦ２が位置されることを防止するように構成されている場合、溶断作業時に可動するホルダー部５０３と使用済みのウェハーＷＦ２の干渉を好適に防止することが可能になる。
【０２０３】
また、ホルダー部５０３に設けられた姿勢保持部６０４との接触−非接触によりホルダー部５０３の可動状態を検出するホルダー位置検出センサ６６１をさらに有するため、姿勢保持部６０４がホルダー部５０３の可動状態を検出するための検出端として共用化されるため、検出端をホルダー部５０３に備えさせることによる装置構成の煩雑化を防止しつつ、ホルダー部５０３の可動状態を好適に検出することが可能になる。
【０２０４】
また、姿勢保持部６０４により、排出ポジションＰＳ１へ移動された使用済みのウェハーＷＦ２の後端部６０１Ｒが待機ポジションＰＳ１にある未使用のウェハーＷＦ１の前端部６０１Ｆに向い合せて配置されるように使用済みのウェハＷＦ２の姿勢が保持される場合、排出ポジションＰＳ２への使用済みのウェハーＷＦ２の移動を、使用済みのウェハーＷＦ２の後端部６０１Ｒに未使用のウェハーＷＦ１の前端部６０１Ｆを突き当てた状態で当該未使用のウェハーＷＦ１を押し出すことで行うことが可能になるため、排出ポジションＰＳ２への使用済みのウェハーＷＦ２の移動を円滑かつ容易に行うことが可能になる。
【０２０５】
また、姿勢保持部６０４が、排出ポジションＰＳ２へ移動された使用済みのウェハーＷＦ２の外側面に当接することにより待機ポジションＰＳ１の直線延長上に使用済みのウェハーＷＦ２を整列するように姿勢を保持する場合、使用済みのウェハーＷＦ２の後端部５３０Ｒと未使用のウェハーＷＦ１の前端部５３０Ｆとの位置合わせをより確実に行うことが可能になるため、排出ポジションＰＳ２への使用済みのウェハーＷＦ２の移動をより一層円滑に行うことが可能になる。
【０２０６】
＜変形例＞
次に変形例に係るチューブ接合装置を説明する。なお、既に説明した部材や構成については同一の符号を付して、その説明は省略する。
【０２０７】
上述した実施形態に係るチューブ接合装置１においては、使用済みのウェハーＷＦ２の姿勢を保持する姿勢保持部６０４をホルダー部５０３に設けた例を説明したが、姿勢保持部６０４が設けられる位置は使用済みのウェハーＷＦ２の姿勢を保持することが可能な位置であれば特に限定されない。例えば、図２６（Ａ）、図２６（Ｂ）に示すように、筐体２に姿勢保持部７０４を設けた構成とすることも可能である。
【０２０８】
変形例に係る姿勢保持部７０４はホルダー部５０３と取出し口５８との間にある所定の搬送路６１１に設けられている。姿勢保持部７０４は、例えば、使用済みのウェハーＷＦ２の外側面に当接して当該使用済のウェハーＷＦ２が倒れ込むことを防止する柱状の部材により構成することができる。ただし、姿勢保持部７０４の形状や設置位置、設置数等は使用済みのウェハーＷＦ２の姿勢を保持し得る限りにおいて変更することが可能である。
【０２０９】
姿勢保持部７０４を構成する材料の材質は特に限定されないが、排出ポジションＰＳ２へ移動された使用済のウェハーＷＦ２が、筐体２と姿勢保持部７０４との間に容易に進入することが可能となるように、例えば、弾性変形可能な部材で構成することが可能である。
【０２１０】
本変形例に示すように、筐体２側に姿勢保持部７０４を設けた場合においても、排出ポジションＰＳ２においてウェハーＷＦ２の姿勢を好適に保持することができる。なお、前述した実施形態において説明したホルダー部５０３に姿勢保持部６０４を設けた構成と、変形例において説明した筐体２側に姿勢保持部６０４を設けた構成とを組み合わせることも可能である。
【０２１１】
以上、実施形態および変形例を通じて本発明に係るチューブ接合装置を説明したが、本発明は実施形態および変形例において説明した構成に限定されることはなく、特許請求の範囲の記載に基づいて適宜改変することが可能である。
【０２１２】
例えば、チューブ接合装置の筐体や各部の構成は、当該装置が使用される用途や目的、設計上の都合等に応じて変更可能であり、図示した構成のみに限定されることはない。また、使用済みのウェハーの姿勢の保持が行われる第２の位置を筐体に設けられた取出し口付近に設定した例を説明したが、第２の位置は装置の構成等に応じて適宜変更することが可能である。
【０２１３】
また、例えば、姿勢保持部により保持される際の使用済みのウェハーの姿勢は、当該使用済みのウェハーが第２の位置に残置された状態で溶断−接合作業が実施される際に、使用済みのウェハーにより装置各部の動作が妨げられることのないような姿勢であればよい。したがって、図示等により説明したように未使用のウェハーとの関係で整列されるように姿勢が保持されなくてもよい。また、実施形態の説明においては、昇降動作を行うホルダー部と使用済みのウェハーの干渉を防止するように姿勢を保持する例を説明したが、装置の他の部位との間で干渉が生じることを防止するように構成することも可能である。
【０２１４】
また、接合対象となるチューブは、溶断した後に端部の位置を切り替えて加圧接合を行う対象となるチューブであればよく、腹膜透析に用いられるチューブに限定されることはない。
【符号の説明】
【０２１５】
１  チューブ接合装置、
２  筐体、
３  クランプ蓋部、
５０  筐体側クランプ部（保持部）、
５８  取出し口、
８２  ウェハーカセット収納ユニット（収容部）、
１００  制御部、
５００  移動機構、
５０３  ホルダー部、
５３０Ｆ  ウェハーの前端部（切断部材の前端部）、
５３０Ｒ  ウェハーの後端部（切断部材の後端部）、
６０４、７０４  姿勢保持部、
ＰＳ１  待機ポジション（第１の位置）、
ＰＳ２  排出ポジション（第２の位置）、
ＰＳｍ  溶断ポジション、
Ｔ１  第１のチューブ、
Ｔ２  第２のチューブ、
ＷＦ  ウェハー（切断部材）、
ＷＦ１  未使用のウェハー、
ＷＦ２  使用済みのウェハー。
【図１】
2015136576.tif 000003
【図２】
2015136576.tif 000004
【図３】
2015136576.tif 000005
【図４】
2015136576.tif 000006
【図５】
2015136576.tif 000007
【図６】
2015136576.tif 000008
【図７】
2015136576.tif 000009
【図８】
2015136576.tif 000010
【図９】
2015136576.tif 000011
【図１０】
2015136576.tif 000012
【図１１】
2015136576.tif 000013
【図１２】
2015136576.tif 000014
【図１３】
2015136576.tif 000015
【図１４】
2015136576.tif 000016
【図１５】
2015136576.tif 000017
【図１６】
2015136576.tif 000018
【図１７】
2015136576.tif 000019
【図１８】
2015136576.tif 000020
【図１９】
2015136576.tif 000021
【図２０】
2015136576.tif 000022
【図２１】
2015136576.tif 000023
【図２２】
2015136576.tif 000024
【図２３】
2015136576.tif 000025
【図２４】
2015136576.tif 000026
【図２５】
2015136576.tif 000027
【図２６】
2015136576.tif 000028